(57)【要約】【課題】本発明は、通常走行時に踏段の浮き上がりの発生を抑えつつ、可動片が抑えレール上に乗り上げた場合であっても、踏段の正常な走行を維持することができるエスカレータの踏段保持装置を得ることを目的とするものである。【解決手段】各脚部４ａの先端の反踏段レール側には、連続Ｌ字状の可動片支持部材７が設けられている。可動片取付部７ｃの先端部には、Ｌ字状の可動片（可動機構）９が設けられている。可動片９は、可動片取付部７ｃに対して平行な第１辺部９ａと、第１辺部９ａに対して直角に折り曲げられた第２辺部９ｂとを有している。また、可動片９は、踏段３の通常走行時に、第１辺部９ａと可動片取付部７ｃとの当接位置である規制位置となっている。さらに、可動片９は、ピン１０を中心に回動可能となっている。【選択図】図２
2008007212.tif 000002
【特許請求の範囲】
【請求項１】
踏段に設けられた可動片支持部材、及び
踏段レールに沿う踏段浮き上がり防止用の抑えレールの下面に対向するように上記可動片支持部材に設けられ、上記抑えレール下面と当接することによって上記踏段の上方への変位を規制するとともに、上記抑えレール上に乗り上げたときに、上記踏段の下方への変位によって回動される可動片
を備えていることを特徴とするエスカレータの踏段保持装置。
【請求項２】
上記可動片支持部材には、締結部材に挿通される取付長孔が設けられており、
上記可動片支持部材は、上記締結部材の上記取付長孔を貫通した螺着によって上記踏段に取り付けられていることを特徴とする請求項１記載のエスカレータの踏段保持装置。
【発明の詳細な説明】
【技術分野】
【０００１】
この発明は、踏段の踏段レールからの浮き上がりを防止するためのエスカレータの踏段保持装置に関するものである。
【背景技術】
【０００２】
従来のエスカレータでは、踏段の両側面に設けられた傾動防止腕と、トラス内に設けられた傾動防止案内レールとが当接することよって、踏段の浮き上がりの発生が抑えられて踏段の表面が水平となるように保持されている（例えば、特許文献１参照）。
また、従来の踏段異常検出装置では、踏段に設けられた操作部材とマイクロスイッチを操作する検出レールとが係合しており、踏段の浮き上がり発生時に、操作部材によって検出レールが上方に引き上げられ、検出レールの引き上げによってマイクロスイッチが操作されることにより、踏段の走行異常が検出される（例えば、特許文献２参照）。
【０００３】
【特許文献１】特開２０００−３２７２５１号公報
【特許文献２】特開２００３−１０４６７９号公報
【発明の開示】
【発明が解決しようとする課題】
【０００４】
上記のような従来のエスカレータでは、傾動防止案内レールの曲げ精度、及び傾動防止案内レールと傾動防止腕との位置調整等が不完全な場合、踏板表面に大きな荷重が掛かり踏段の瞬間的な跳ね上がりが発生したときに、傾動防止腕が傾動防止案内レールの上部に乗り上げることがある。
また、上記のような従来の踏段異常検出装置でも、検出レールの曲げ精度、及び検出レールと操作部材との位置調整等が不完全な場合、踏板表面に大きな荷重が掛かり踏段の瞬間的な跳ね上がりが発生したときに、操作部材が検出レールの上部に乗り上げることがあり、この場合、操作部材と検出レールとの係合が解除されてしまい踏段の走行異常を検出できなくなる。
このような傾動防止案内レールへの傾動防止腕の乗り上げ、又は検出レールへの操作部材乗り上げが発生した場合、踏段が踏段レールから浮き上がってしまうため、踏段の正常な走行を維持することができず、踏段が乗降口の櫛に衝突することがあった。
【０００５】
この発明は、上記のような課題を解決するためになされたものであり、通常走行時に踏段の浮き上がりの発生を抑えつつ、可動片が抑えレール上に乗り上げた場合であっても、踏段の正常な走行を維持することができるエスカレータの踏段保持装置を得ることを目的とする。
【課題を解決するための手段】
【０００６】
この発明に係るエスカレータの踏段保持装置は、踏段に設けられた可動片支持部材、及び踏段レールに沿う踏段浮き上がり防止用の抑えレールの下面に対向するように可動片支持部材に設けられ、抑えレール下面と当接することによって踏段の上方への変位を規制するとともに、抑えレール上に乗り上げたときに、踏段の下方への変位によって回動される可動片を備えている。
【発明の効果】
【０００７】
この発明のエスカレータの踏段保持装置では、抑えレール上に乗り上げたときに踏段の下方への変位に応じて回動する可動片が抑えレールの下面に対向するように可動片支持部材に設けられているので、可動片と抑えレールとが当接することによって踏段の上方への変位が規制されていることにより、通常走行時に踏段の浮き上がりが発生することを抑えつつ、可動片が抑えレール上に乗り上げたときに、踏段の下方への変位によって可動片が回動され、踏段の下方への変位が可動片によって阻害されないことにより、踏段が踏段レール上の走行位置に復帰可能となり、可動片が抑えレール上に乗り上げた場合であっても、踏段の正常な走行を維持することができる。
【発明を実施するための最良の形態】
【０００８】
以下、この発明を実施するための最良の形態について、図面を参照して説明する。
実施の形態１．
図１は、この発明の実施の形態１によるエスカレータの踏段を示す正面図である。図２は、図１の踏段ブラケット４の一部を拡大して示す正面図である。図３は、図２のＩＩＩ−ＩＩＩ線に沿う断面図である。
図において、トラス（図示せず）内には、一対の踏段レール１が設けられている。また、トラス内の上下曲部（水平部と傾斜部との境界付近）には、一対の抑えレール２が踏段レール１に沿うように設けられている。抑えレール２は、水平なレール水平部２ａと、レール水平部２ａに直交するレール鉛直部２ｂとを有している。踏段レール１に沿って走行可能な踏段（ステップ）３は、踏段ブラケット４と、踏段ブラケット４の上面に取り付けられた踏板５とを有している。
【０００９】
踏段ブラケット４には、チェーンを介して受けたモータからの駆動力によって走行する駆動ローラ（図示せず；踏段前輪）が設けられている。また、踏段ブラケット４の下部には、一対の脚部４ａが設けられている。各脚部４ａの先端の踏段レール１側には、回動自在な追従ローラ（踏段後輪）６がそれぞれ設けられている。また、各脚部４ａの先端の反踏段レール１側には、連続Ｌ字状の可動片支持部材（ストッパ本体）７がそれぞれ設けられている。追従ローラ６及び可動片支持部材７は、反踏段レール１側から踏段レール１側へ脚部４ａを貫通するボルト（締結部材）８によって、脚部４ａに締結されている。また、追従ローラ６の走行は、踏段レール１によって案内される。
【００１０】
可動片支持部材７は、脚部４ａに固定される支持部材固定部７ａと、支持部材固定部７ａに対して直角に折り曲げられた中間水平部７ｂと、中間水平部７ｂに対して直角に折り曲げられた可動片取付部７ｃとを有している。支持部材固定部７ａには、ボルト８に挿通される取付長孔７ｄが設けられている。中間水平部７ｂの下面は、レール水平部２ａの上面に対向している。可動片取付部７ｃの先端部（反中間水平部７ｂ側の端部）には、取付溝７ｅが設けられている。また、可動片取付部７ｃの先端部には、Ｌ字状の可動片（可動機構）９が設けられている。
【００１１】
可動片９は、可動片取付部７ｃに対して平行な第１辺部９ａと、第１辺部９ａに対して直角に折り曲げられた第２辺部９ｂとを有している。第２辺部９ｂは、踏段３の通常走行時に、レール水平部２ａの下面に対向するように配置されている。さらに、可動片９は、取付溝７ｅの内壁の底と第２辺部９ｂの上面との間で間隔をおくように取付溝７ｅに嵌め込まれて、ピン１０によって可動片取付部７ｃの先端部に取り付けられている。さらにまた、可動片９は、追従ローラ６の踏段レール１からの跳ね上がりが発生すると、第２辺部９ｂの上面とレール水平部２ａの下面とが当接することにより、踏段３の上方への変位を規制する。
【００１２】
また、可動片９は、ピン１０を中心に回動可能（傾斜可能）となっている。さらに、第２辺部９ｂの上面が受けた外力による可動片９の回動は、第１辺部９ａと可動片取付部７ｃとが当接することによって規制されている。さらにまた、可動片９は、レール水平部２ａの上面に乗り上げたときに、踏段３の自重に応じた下方への変位によって回動される。即ち、可動片９は、レール水平部２ａの上面に乗り上げたときに、第２辺部９ｂの下面が受けた外力によって回動される。
【００１３】
次に、動作について説明する。まず、踏段３の通常走行時の動作について説明する。図４は、図１の踏段３の踏段レール１上での走行状態を示す正面図である。図において、踏段３の通常走行時には、第２辺部９ｂの上面がレール水平部２ａの下面に対向しており、第２辺部９ｂの上面とレール水平部２ａの下面との間の隙間（矢印Ｘ）がほぼ一定に保たれている。この状態で、踏板５表面に掛かった荷重によって踏段３が踏段レール１から瞬間的に跳ね上がると、第２辺部９ｂ上面とレール水平部２ａ下面とが当接することによって、踏段３の上方への跳ね上がりによる変位が規制される。このとき、第１辺部９ａと可動片取付部７ｃとが当接することによって、可動片９の回動が規制されており、踏段３の浮き上がりの発生が抑えられる。
【００１４】
次に、抑えレール２上に可動片９が乗り上げた場合の動作について説明する。図５は、可動片９の乗り上げ発生時の図１の踏段ブラケット４の一部を拡大して示す正面図である。図において、例えば抑えレール２の曲げ精度、及び抑えレール２と可動片支持部材７・可動片９との位置調整等が不完全な場合、踏板５表面に大きな荷重が掛かると、踏段３の瞬間的な跳ね上がりが発生することにより、可動片９がレール水平部２ａ上に乗り上げて、第２辺部９ｂの下面とレール水平部２ａの上面とが当接する。
【００１５】
この可動片９が乗り上げ位置のとき、踏段３が自重に応じて下方へ変位し、この踏段３
の変位によって、第２辺部９ｂの下面がレール水平部２ａの上面によって押し上げられ、可動片９がピン１０を中心に回動される。そして、可動片９が回動することによって、踏段３の下方への変位が可動片９に阻害されないことにより、図４に示すように追従ローラ６が踏段レール１上に載って、踏段３が踏段レール１上の走行位置に復帰し、踏段３の走行が継続される。
【００１６】
上記のようなエスカレータの踏段保持装置では、抑えレール上に乗り上げたときに踏段の下方への変位に応じて回動する可動片が抑えレールの下面に対向するように可動片支持部材に設けられているので、可動片と抑えレールとが当接することによって踏段の上方への変位が規制されていることにより、通常走行時に踏段の浮き上がりが発生することを抑えつつ、可動片が抑えレール上に乗り上げたときに、踏段の下方への変位によって可動片が回動され、踏段の下方への変位が可動片によって阻害されないことにより、踏段が踏段レール上の走行位置に復帰可能となり、可動片が抑えレール上に乗り上げた場合であっても、踏段の正常な走行を維持することができる。
【００１７】
また、従来の踏段異常検出装置は、踏段フレームと操作部材とが一体化されていたため、操作部材が破損・変形した場合に、踏段フレームないし踏段全体の交換を要していたが、上記のようなエスカレータの踏段保持装置では、踏段ブラケットから可動片支持部材及び可動片を取り外し可能となっているので、可動片支持部材及び可動片が破損・変形した場合に、可動片支持部材及び可動片のみを交換可能となっており踏段ブラケットを交換不要となっていることにより、踏段修理時の作業効率を向上させることができるとともに、修理時の部品原価を低減させることができる。
【００１８】
さらに、従来の踏段の異常検出装置では、踏段フレームと操作部材とが一体化されていたため、操作部材と検出レールとの間の間隔を調整する際に、検出レールの設置位置を調整する必要があったが、上記のようなエスカレータの踏段保持装置では、可動片支持部材に取付長孔が設けられているので、ボルトの螺着を緩めることによって容易に可動片と抑えレールとの間の間隔（図４に示す矢印Ｘ）を調整することができ、可動片支持部材及び可動片取付時の作業効率を向上させることができる。
【００１９】
なお、実施の形態１の可動片支持部材７と可動片９との間に、例えばねじりコイルばねのような可動片の回動方向への弾性を有する弾性部材を取り付けてもよく、この場合、可動片の回動に弾性部材の弾力が加わるので、可動片が抑えレール上に乗り上げたときに、可動片の回動をより安定させることができる。
【００２０】
また、実施の形態１の可動片支持部材７は、踏段ブラケット４の脚部４ａに取り付けられていたが、踏段ブラケットの脚部に限るものではなく、可動片支持部材の取付位置は、抑えレールの位置に対応した踏段の位置であればよい。
【００２１】
さらに、実施の形態１の可動片支持部材７の形状は、連続Ｌ字状であったが、この例に限るものではなく、抑えレールの下部付近に位置するような形状であればよい。
【図面の簡単な説明】
【００２２】
【図１】この発明の実施の形態１によるエスカレータの踏段を示す正面図である。
【図２】図１の踏段ブラケットの一部を拡大して示す正面図である。
【図３】図２のＩＩＩ−ＩＩＩ線に沿う断面図である。
【図４】図１の踏段の踏段レール上での走行状態を示す正面図である。
【図５】可動片の乗り上げが発生時の図１の踏段ブラケットの一部を拡大して示す正面図である。
【符号の説明】
【００２３】
１  踏段レール、２  抑えレール、３  踏段、７  可動片支持部材、８  ボルト（締結部材）、９  可動片。
【図１】
2008007212.tif 000003
【図２】
2008007212.tif 000004
【図３】
2008007212.tif 000005
【図４】
2008007212.tif 000006
【図５】
2008007212.tif 000007